(57)【要約】【課題】電力需要が多い期間に合わせて蓄電池の充放電深度を相対的に深くすることにより、蓄電池の短寿命化を招くこと無く、電力負荷の平準化を実現する。【解決手段】商用電力系統から受電し、受電電力により蓄電される蓄電システム１３に搭載されており、蓄電システム１３内の蓄電池１３２を充放電する際に用いられる充放電深度を受電電力の需要の増減に応じて変化させる充放電深度管理装置１３４である。受電電力の需要増大が生じると予測される需要増大期間に合わせて蓄電池１３２の充放電深度を他の期間に対して相対的に深くすることにより、深い充放電深度で蓄電池が充放電される期間を短くしつつ、需要増大期間における蓄電池１３２の高出力化を実現する。【選択図】図１
2009194947.tif 000002
【特許請求の範囲】
【請求項１】
商用電力系統から受電し、該受電電力により蓄電される蓄電システムに搭載されており、前記蓄電システム内の蓄電池を充放電する際に用いられる充放電深度を前記受電電力の需要の増減に応じて変化させる充放電深度管理装置であって、
前記受電電力の需要増大が生じると予測される需要増大期間を決定する第１の手段と、
前記第１の手段が前記需要増大期間を決定した場合に、前記決定された需要増大期間において用いられる前記蓄電池の充放電深度を他の期間に対して相対的に深くする第２の手段と
を備えることを特徴とする充放電深度管理装置。
【請求項２】
前記第２の手段は、前記受電電力の需要が一時的に減少すると予測され、前記需要増大期間から除外すべきとされる期間が前記需要増大期間内に含まれている場合には、当該除外すべき期間を除いた前記需要増大期間における前記蓄電池の充放電深度を他の期間に対して相対的に深くすることを特徴とする請求項１に記載の充放電深度管理装置。
【請求項３】
前記第１の手段は、あらかじめ準備された前記受電電力の需要予測曲線が入力される入力手段を有し、当該入力手段から入力された前記需要予測曲線における最大ピーク期間を前記需要増大期間として決定することを特徴とする請求項１または２に記載の充放電深度管理装置。
【請求項４】
商用電力系統から受電し、該受電電力により蓄電される蓄電システム内の蓄電池を充放電する際に用いられる充放電深度を前記受電電力の需要の増減に応じて変化させる充放電深度管理方法であって、
前記受電電力の需要増大が生じると予測される需要増大期間を決定する第１の工程と、
前記第１の工程において前記需要増大期間が決定された場合に、前記決定された需要増大期間において用いられる前記蓄電池の充放電深度を他の期間に対して相対的に深くする第２の工程と
を備えることを特徴とする充放電深度管理方法。
【請求項５】
商用電力系統から受電し、該受電電力により蓄電される蓄電システムであって、
蓄電池と、
前記蓄電池を充放電する際に用いられる充放電深度を前記受電電力の需要の増減に応じて変化させる充放電深度管理装置と、
前記充放電深度管理装置から与えられる前記蓄電池の充放電深度を用いて前記蓄電池を充放電する充放電制御装置と
を備え、
前記充放電深度管理装置は、前記受電電力の需要増大が生じると予測される需要増大期間を決定する第１の手段と、前記第１の手段が前記需要増大期間を決定した場合に、前記決定された需要増大期間における前記蓄電池の充放電深度を他の期間に対して相対的に深くする第２の手段とを有することを特徴とする蓄電システム。
【発明の詳細な説明】
【技術分野】
【０００１】
本発明は、電力利用者に導入される蓄電システムに関し、特に、蓄電システムに設けられた蓄電池の充電深度及び放電深度を管理するための充放電深度管理装置及び方法、並びに、その充放電深度管理装置及び方法を用いた蓄電システムに関する。
【背景技術】
【０００２】
近年、電力料金の削減を主目的として、電力利用者において蓄電システムが導入される場合がある。この蓄電システムは、充放電が可能な蓄電池を備え、安価な夜間電力にて蓄電池を充電し、これを昼間に放電させて負荷の一部を担わせるものである。かかる蓄電システムの導入により電力利用者は、昼間電力の一部が実質的に深夜電力で賄われることによる従量料金の削減メリットだけでなく、真夏期等に電力使用量が突出することで表れる年間最大ピーク電力のレベルを低減（所謂ピークカット）できることによる基本料金の削減メリットを享受できる。一方、電力事業者にとっても、電力利用者の各々においてピークカットが為されることで、究極的には発電所建設・増強投資を抑制できる利点がある。
【０００３】
ところで、このような蓄電システムに搭載される蓄電池としては、通常、リチウムイオン電池や、ニッケル水素電池、鉛電池等の二次電池が利用される。リチウムイオン電池等の二次電池は、軽量で高容量、高出力であるため、上記のような大型の蓄電システム用の蓄電池として注目されている。
【０００４】
上記のような蓄電システム用の二次電池には、その高出力化の観点からは利用可能な容量をできるだけ大きくすることが好ましく、このため、二次電池を満充電まで充電する一方、完全に放電することが好ましい。しかしながら、リチウムイオン電池等の二次電池は、一般に、深い深度で充放電を繰り返すと、電池寿命が短くなってしまう特性を有している。例えば、図７に、一般的な二次電池における許容充放電回数と放電深度との関係を示す。図７に示すように、電池の放電深度が深くなればなるほど、電池の許容充放電回数が減少していくことがわかる。
【０００５】
さらに、上記の深い深度での充放電の繰り返しに加えて、深い深度で充電した後に放電せずに満充電状態のまま電池を長期にわたって保存した場合であっても、上記と同様、電池寿命は短くなってしまう。
【０００６】
一方、電池の寿命を確保するためには、図７から明らかなように、浅い深度で電池の充放電を繰り返すことが好ましい。しかしながら、このような手法を用いた場合、今度は逆に電池の低出力化は避けられず、その結果、浅い深度のまま電池の高出力を確保するためには、電池の容量を必要以上に大きくしなければならない。つまり、二次電池の長寿命化と高出力化との間には互いにトレードオフの関係があり、これら２つを同時に最大化させることができないのが実情である。
【０００７】
そこで、他の手法として、例えば、次のようなものが挙げられる。特許文献１には、二次電池の劣化具合に応じて電池の充電深度を変更する方法が開示されている。この方法では、二次電池を充放電する際に、二次電池が新しいうちは充放電の容量を少なく取り、二次電池が劣化してくるにつれて充放電の容量を多く取るように充放電深度を制御し、そうすることで、電池の充放電可能容量の低下を少なくし、電池の寿命を長くしている。
【０００８】
また、特許文献２には、深夜または軽負荷時間帯にバッテリーを充電し、重負荷時間帯に放電することにより、受電電力のピークを低減する電力貯蔵システムが開示されている。この電力貯蔵システムでは、年間を通じて電力ピークが生じる所定の期間のみシステム運転によりバッテリーを充放電し、他の期間はシステム停止またはバッテリーの補充電のみとし、電池のサイクル寿命を低減している。
【０００９】
さらに、特許文献３には、複数の小型電池を組み合わせて電池モジュールを形成し、運転中に故障した小型電池を除去することにより装置の寿命を長くするシステムが開示されている。
【特許文献１】特開平９−１２０８４３号公報
【特許文献２】特開２０００−９２７４１号公報
【特許文献３】特開２００６−５０７６３号公報
【発明の開示】
【発明が解決しようとする課題】
【００１０】
しかしながら、特許文献１に開示された方法では、二次電池の劣化具合を測定するための回路構成が必要であり、その結果、装置構成が複雑となり、装置コストが増大してしまう。
【００１１】
また、特許文献２に開示されたシステムでは、システム停止期間中に急な重負荷期間が発生した場合、その重負荷期間に対するピークカットを行うことができない。
【００１２】
さらに、特許文献３に開示されたシステムでは、電池モジュールの各小型電池自体の延命化を行うことができず、また、故障した電池を検出するための回路構成が必要となり、装置構成の複雑化、装置コストの増大を招いてしまう。
【００１３】
本発明の目的は、上記問題点に鑑み、電力需要が多い期間に合わせて蓄電池の容量を大きくすることにより、蓄電池の短寿命化を招くこと無く、電力負荷の平準化を図ることができる充放電深度管理装置及び方法、並びに、蓄電システムを提供することにある。
【課題を解決するための手段】
【００１４】
上記目的を達成するために、本発明の一局面に従う充放電深度管理装置は、商用電力系統から受電し、該受電電力により蓄電される蓄電システムに搭載されており、前記蓄電システム内の蓄電池を充放電する際に用いられる充放電深度を前記受電電力の需要の増減に応じて変化させる充放電深度管理装置であって、前記受電電力の需要増大が生じると予測される需要増大期間を決定する第１の手段と、前記第１の手段が前記需要増大期間を決定した場合に、前記決定された需要増大期間において用いられる前記蓄電池の充放電深度を他の期間に対して相対的に深くする第２の手段とを備える。
【００１５】
上記の充放電深度管理装置では、受電電力の需要増大が生じる需要増大期間が決定された場合に、決定された需要増大期間において用いられる蓄電池の充放電深度を相対的に深くすることができるので、需要増大期間に合わせて蓄電池の高出力化を図ることができる。さらに、需要増大期間に合わせて充放電深度を相対的に深くし、それ以外の期間では比較的浅い充放電深度とするので、深い充放電深度で蓄電池が充放電される期間が相対的に短くなり、その結果、深い充放電深度を用いた充放電に起因する蓄電池の寿命劣化が抑制される。
【００１６】
前記第２の手段は、前記受電電力の需要が一時的に減少すると予測され、前記需要増大期間から除外すべきとされる期間が前記需要増大期間内に含まれている場合には、当該除外すべき期間を除いた前記需要増大期間における前記蓄電池の充放電深度を他の期間に足して相対的に深くすることが好ましい。
【００１７】
この場合、受電電力の需要が一時的に減少する期間においては浅い充放電深度で蓄電池が充放電されることになるので、蓄電池の寿命劣化がより抑制されることになる。
【００１８】
前記第１の手段は、あらかじめ準備された前記受電電力の需要予測曲線が入力される入力手段を有し、当該入力手段から入力された前記需要予測曲線における最大ピーク期間を前記需要増大期間として決定することが好ましい。
【００１９】
この場合、受電電力の需要の最大ピーク期間において蓄電池が高出力化されるので、最大ピーク期間の電力使用量を低減することができる。最大ピーク期間の電力使用量は電気料金に大きく影響を及ぼすものであり、その低減の実現により、電力利用者は電気料金を削減することができる。
【００２０】
本発明の他の一局面に従う充放電深度管理方法は、商用電力系統から受電し、該受電電力により蓄電される蓄電システム内の蓄電池を充放電する際に用いられる充放電深度を前記受電電力の需要の増減に応じて変化させる充放電深度管理方法であって、前記受電電力の需要増大が生じると予測される需要増大期間を決定する第１の工程と、前記第１の工程において前記需要増大期間が決定された場合に、前記決定された需要増大期間において用いられる前記蓄電池の充放電深度を他の期間に対して相対的に深くする第２の工程とを備える。
【００２１】
上記の充放電深度管理方法では、受電電力の需要増大が生じる需要増大期間が決定された場合に、決定された需要増大期間において用いられる蓄電池の充放電深度を相対的に深くすることができるので、需要増大期間に合わせて蓄電池の高出力化を図ることができる。さらに、需要増大期間に合わせて充放電深度を相対的に深くし、それ以外の期間では比較的浅い充放電深度とするので、深い充放電深度で蓄電池が充放電される期間が相対的に短くなり、その結果、深い充放電深度を用いた充放電に起因する蓄電池の寿命劣化が抑制される。
【００２２】
本発明のさらに他の一局面に従う蓄電システムは、商用電力系統から受電し、該受電電力により蓄電される蓄電システムであって、蓄電池と、前記蓄電池を充放電する際に用いられる充放電深度を前記受電電力の需要の増減に応じて変化させる充放電深度管理装置と、前記充放電深度管理装置から与えられる前記蓄電池の充放電深度を用いて前記蓄電池を充放電する充放電制御装置とを備え、前記充放電深度管理装置は、前記受電電力の需要増大が生じると予測される需要増大期間を決定する第１の手段と、前記第１の手段が前記需要増大期間を決定した場合に、前記決定された需要増大期間における前記蓄電池の充放電深度を他の期間に対して相対的に深くする第２の手段とを有する。
【００２３】
上記の蓄電システムでは、受電電力の需要増大が生じる需要増大期間が決定された場合に、決定された需要増大期間において用いられる蓄電池の充放電深度を相対的に深くすることができるので、需要増大期間に合わせて蓄電池の高出力化を図ることができる。さらに、需要増大期間に合わせて充放電深度を相対的に深くし、それ以外の期間では比較的浅い充放電深度とするので、深い充放電深度で蓄電池が充放電される期間が相対的に短くなり、その結果、深い充放電深度を用いた充放電に起因する蓄電池の寿命劣化が抑制される。
【発明の効果】
【００２４】
本発明によれば、電力需要が多い期間に合わせて蓄電池の容量を大きくすることにより、蓄電池の短寿命化を招くこと無く、電力負荷の平準化を図ることができる充放電深度管理装置及び方法、並びに、蓄電システムを提供することができる。
【発明を実施するための最良の形態】
【００２５】
以下、本発明の実施の形態について、図面を参照しながら説明する。なお、以下の図面の記載において、同じ要素または類似する要素には、同じまたは類似の符号を付しており、説明を省略する場合がある。
【００２６】
図１は、本発明の実施の形態に係る蓄電システムが設置された、電力利用者用の電力設備の概略構成を示すブロック図である。本実施の形態に係る蓄電システム１３が設置された電力設備１０は、工場のような高圧電力の利用者における電力設備であり、受電設備１１と、負荷１２Ａ、１２Ｂ、１２Ｃと、蓄電システム１３と、を備えている。
【００２７】
受電設備１１は、商用電力系統から電力利用者が電力を受電するための設備であって、変圧器や開閉器等を含むものである。負荷１２Ａ、１２Ｂ、１２Ｃは、例えば電動モータ、電気炉、空調設備、電灯等の、電力を消費する各種の電気機器である。負荷１２Ａ、１２Ｂ、１２Ｃには、通常は受電設備１１を介して商用電力系統から電力が供給され、稼働される。
【００２８】
本実施の形態に係る蓄電システム１３は、受電設備１１及び負荷１２Ａ、１２Ｂ、１２Ｃに相互接続され、商用電力により充電される一方、負荷１２Ａ、１２Ｂ、１２Ｃに電力を供給する機能を持つ。蓄電システム１３は、図１に示すように、ＡＣ／ＤＣ変換器１３１と、蓄電池１３２と、充放電制御装置１３３と、充放電深度管理装置１３４と、を有している。
【００２９】
ＡＣ／ＤＣ変換器１３１は、整流器等を備え、５０Ｈｚ／６０Ｈｚの交流商用電力を直流電力に変換すると共に、蓄電池１３２から放電される直流電力を交流電力に変換する。蓄電池１３２は、繰り返しの充放電動作が可能な二次電池からなり、商用電力で充電される一方、充電電力を放電して負荷１２Ａ、１２Ｂ、１２Ｃに電力を供給する。
【００３０】
充放電制御装置１３３は、ＡＣ／ＤＣ変換器１３１及び蓄電池１３２の動作モードを、充電モード又は放電モードのいずれかに切り換える制御を行う。例えば、充放電制御装置１３３は、深夜電力時間帯に蓄電池１３２が充電され、主に昼間の電力ピーク時間帯に蓄電池１３２から放電されるように切り換える制御を行う。
【００３１】
さらに、充放電制御装置１３３は、蓄電池１３２の充放電を行う際、本発明の特徴部分である充放電深度管理装置１３４が管理する蓄電池１３２の充電深度及び放電深度（以下、これら２つを合わせて「充放電深度」と呼ぶ場合もある。）を利用する。すなわち、充放電制御装置１３３は、充放電深度管理装置１３４から与えられる充電深度まで蓄電池１３２を充電する一方、充放電深度管理装置１３４から与えられる放電深度まで蓄電池１３２を放電する。
【００３２】
ここで、本実施の形態においては、充電深度とは、蓄電池１３２の満充電容量に対して実際に充電された蓄電池１３２の容量の比率のことを指すものとし、例えば、蓄電池１３２の満充電容量が１００ｋＷｈであるときに、実際に充電された容量が９０ｋＷｈである場合、その場合の蓄電池１３２の充電深度は９０％である。また、充電された容量が７０ｋＷｈであれば、充電深度は７０％である。一方、放電深度とは、蓄電池１３２の満充電容量に対して実際に放電された蓄電池１３２の容量の比率のことを指すものとし、例えば、蓄電池１３２の満充電容量が１００ｋＷｈであるときに、実際に放電された容量が９０ｋＷｈである場合、その場合の蓄電池１３２の放電深度は９０％である。また、放電された容量が７０ｋＷｈであれば、放電深度は７０％である。そして、充電深度、放電深度のいずれの場合も、１００％に近づくほどその深さは深くなり、０％に近づくほどその深さは浅くなる。例えば、９０％の充電深度、９０％の放電深度、すなわち、９０％の深い充放電深度で蓄電池１３２の充放電が繰り返された場合、蓄電池１３２の容量は満充電容量に対して１０〜９０％の範囲で推移することになる。また、７０％の充電深度、７０％の放電深度、すなわち、７０％の浅い充放電深度で蓄電池１３２の充放電が繰り返された場合、蓄電池１３２の容量は満充電容量に対して３０〜７０％の範囲で推移することになる。
【００３３】
次に、本発明の特徴部分である充放電深度管理装置１３４について説明する。最初に、充放電深度管理装置１３４の原理について説明し、その後、充放電深度管理装置１３４の構成及び動作について詳細に説明する。充放電深度管理装置１３４は、上述したように、充放電制御装置１３３が蓄電池１３２の充放電を行う際に利用する蓄電池１３２の充電深度及び放電深度を変更、管理するためのものである。
【００３４】
上記の背景技術の欄でも述べたように、蓄電池１３２の充放電を繰り返す場合において、蓄電池１３２の電池寿命と出力との間には互いにトレードオフの関係がある。すなわち、蓄電池１３２の長寿命化が図られるように充放電深度を浅く設定すると、蓄電池１３２の出力が低下してしまう。逆に、蓄電池１３２が高出力化するように充放電深度を深く設定すると、蓄電池１３２の寿命の劣化を招いてしまう。
【００３５】
一方、電力利用者における年間の電力需要は、夏季の数週間等の特定の期間にピークが生じるのが一般的である。したがって、少なくともこの特定の期間に蓄電池１３２が高出力化していれば、この特定の期間におけるピーク需要に対するピークカットは実行可能となる。逆に、この特定の期間を除く期間においては蓄電池１３２の出力が低下していても何ら問題は無いと言える。
【００３６】
そこで、本実施の形態に係る充放電深度管理装置１３４は、電力利用者の年間電力需要に応じて充放電制御装置１３３に与える蓄電池１３２の充放電深度を変化させることにより、利用者の電力需要のピーク期間に合わせて蓄電池１３２を高出力化させる一方、それ以外の期間においては蓄電池１３２の出力を低下させ、蓄電池１３２の電池寿命の劣化を抑制する。すなわち、本実施の形態に係る充放電深度管理装置１３４によれば、蓄電池１３２の寿命劣化の要因となる期間を最小限として寿命劣化を抑制しつつ、利用者の電力需要のピーク期間に応じてピークカットを実行することが可能となるのである。
【００３７】
続いて、充放電深度管理装置１３４の構成及び動作について説明する。図２は、本実施の形態に係る充放電深度管理装置１３４の概略構成を示すブロック図である。本実施の形態に係る充放電深度管理装置１３４は、図２に示すように、需要予測曲線入力部２１と、解析部２２と、最適化部２３と、個別情報入力部２４と、格納部２５と、設定部２６と、を有している。
【００３８】
需要予測曲線入力部２１は、充放電制御装置１３３に与える蓄電池１３２の充放電深度を変更、管理するための基礎データとなる、電力利用者の年間電力の需要予測曲線が入力されるものである。図５に、需要予測曲線の一例を示す。図５に示す需要予測曲線Ａ１においては、期間Ｂが制限電力Ｃを超える年間最大ピーク需要の期間（重負荷期間）である。需要予測曲線は、例えば、昨年度の実績に基づいて作成されても良いし、また、予測気象情報等から予測されたものであっても構わない。
【００３９】
一般に、現行の一般的な高圧電力の利用者に対する電力料金体系は、予め定められた基本料金と、電力使用量に応じた従量料金との合算からなる。そして、基本料金は、過去一年間（その１月と前１１ヶ月）の最大ピーク需要によって定められるようになっている。つまり、年間の僅かな期間でも制限電力を突出した電力使用実績が存在すると、これに合わせてその後一年間の基本料金が設定されることとなる。したがって、年間最大ピーク需要の大きさは、電力料金に大きな影響を及ぼすということができる。例えば、図５の例では、期間Ｂにおいて制限電力Ｃを超える最大ピーク需要があるが、この最大ピーク需要を蓄電システム１０を用いてピークカットすることにより電力料金（基本料金）の低減が実現される。
【００４０】
図２に戻り、解析部２２は、需要予測曲線入力部２１により入力された需要予測曲線を解析し、最大ピーク需要の期間を決定する。具体的には、解析部２２は、需要予測曲線入力部２１から需要予測曲線を取得し、その需要予測曲線に基づき最大ピーク需要の期間を重負荷期間として決定する。例えば、図５に示した需要予測曲線Ａ１が入力された場合には、期間Ｂ（７〜８月）が重負荷期間として決定される。なお、本実施の形態では、需要予測曲線が需要予測曲線入力部２１に入力され、その需要予測曲線に基づいて解析部２２が重負荷期間を決定しているが、本発明はこれに限られるものではない。例えば、電力利用者あるいは電力事業者が重負荷期間とすべき期間を予め設定し、その設定された期間をそのまま解析部２２が重負荷期間として決定するようにしても構わない。
【００４１】
最適化部２３は、解析部２２により決定された重負荷期間において、蓄電池１３２の充放電の際に用いられる蓄電池１３２の充放電深度の最適化を行うものである。具体的には、最適化部２３は、上記の重負荷期間において蓄電池１３２の充放電深度をどのように変化させるかを決定する。最適化部２３は、例えば、次のようにして蓄電池１３２の充放電深度を変化させる。
【００４２】
上記の重負荷期間は最大ピーク需要の期間であることから、上記の重負荷期間においては、基本的には、蓄電池１３２の充放電深度を深くし、蓄電池１３２の高出力化を図らなければならない。しかしながら、最適化部２３はさらに、上記の重負荷期間のうち蓄電池１３２の充放電深度を深くする必要の無い、つまり、電力需要が一時的に減少する期間がある場合には、その期間においては蓄電池１３２の充放電深度が浅くなるようにする。最適化部２３は、このようにして上記の重負荷期間における蓄電池１３２の充放電深度を決定し、格納部２５に格納する。
【００４３】
個別情報入力部２４は、最適化部２３が上記の重負荷期間における蓄電池１３２の充放電深度の変化を最適化する際に利用される個別情報が入力されるためのものである。最適化部２３は、個別情報入力部２４により入力される個別情報を参酌し、上記の重負荷期間における蓄電池１３２の充放電深度の変化を最適化する。個別情報入力部２４は、例えば、電力利用者あるいは電力事業者により個別情報が入力されると、その個別情報を最適化部２３に出力する。
【００４４】
ここで、上記の個別情報としては、例えば、最大ピーク需要の期間である７〜８月の真夏期における、休日である土日、祝日や、帰省シーズンである盆期間を示す情報である。これらの期間では７〜８月の真夏期であっても電力需要が一時的に減少することが予想される。図６に、盆期間付近における需要予測曲線の一例を示す。図６に示す需要予測曲線Ａ２では、盆期間Ｄ２（１３〜１５日）以前の期間Ｄ１及び盆期間Ｄ２以後の期間Ｄ３において電力需要が大きく、盆期間Ｄ２において電力需要が一時的に減少している。したがって、盆期間Ｄ２においては蓄電池１３２の充放電深度を浅くし、蓄電池１３２を低出力化しても問題は無い。さらに、盆期間Ｄ２等の電力需要が一時的に減少すると予想される期間内であっても何らかの理由により電力需要が一段と大きくなることが明らかな期間があれば、その期間中は蓄電池１３２の充放電深度を深くし、蓄電池１３２の高出力化を維持する。
【００４５】
格納部２５は、上述したように、最適化部２３により決定された蓄電池１３２の充放電深度を格納するための記憶装置である。格納部２５は、最適化部２３により最適化された、上記の重負荷期間における蓄電池１３２の充放電深度に加えて、上記の重負荷期間を除く期間における蓄電池１３２の充放電深度を格納する。上記の重負荷期間を除く期間における蓄電池の１３２の充放電深度は、予め格納部２５に格納されていても良いし、上記の重負荷期間における充放電深度の最適化の際に、最適化部２３が格納部２５に格納するようにしても構わない。
【００４６】
設定部２６は、格納部２５から適宜、蓄電池１３２の充放電深度を取得し、充放電制御装置１３３に与えるためのものである。具体的には、設定部２６は、格納部２５に格納されている蓄電池１３２の充放電深度を各々が設定されるべき時期に合わせて格納部２５から取得する。取得後、設定部２６は、その充放電深度を充放電制御部１３３に与え、充放電制御部１３３は、その与えられた充放電深度に基づいて蓄電池１３２の充放電を実行する。
【００４７】
次に、本実施の形態に係る充放電深度管理装置１３４の動作について説明する。図３は、本実施の形態に係る充放電深度管理方法の処理手順を示すフローチャートである。図３に示すように、まず、例えば電力利用者あるいは電力事業者により需要予測曲線が需要予測曲線入力部２１に入力されると（ステップＳ１０１）、入力された需要予測曲線の解析が解析部２２により実行される（ステップＳ１０２）。
【００４８】
続いて、例えば電力利用者あるいは電力事業者により個別情報が個別情報入力部２４に入力されると（ステップＳ１０３）、本ステップＳ１０３で入力された個別情報と上記のステップＳ１０２で解析された結果とを用いて最適化部２３により蓄電池１３２の充放電深度の最適化が実行される（ステップＳ１０４）。なお、本ステップＳ１０４で実行される最適化の処理については後述する。
【００４９】
最後に、上記のステップＳ１０４で最適化が図られた蓄電池１３２の充放電深度は格納部２５に格納された後、設定部２６により充放電制御装置１３３に与えられ、設定されることになる（ステップＳ１０５）。
【００５０】
次に、図３のステップＳ１０４における最適化の処理手順について具体例を用いて説明する。図４は、図３のステップＳ１０４における最適化の処理手順を示すフローチャートである。ここでは、最大ピーク需要の期間を７〜８月の真夏期とし、その期間中の休日である土日及び祝日、さらに、帰省シーズンである盆期間において電力需要が一時的に減少すると予想されると共に、盆期間中において電力需要が増加することが明らかである日がある場合について説明する。
【００５１】
図４に示すように、まず、解析部２２により需要予測曲線が解析され、最大ピーク需要の期間である重負荷期間が決定されると、その重負荷期間内の月が最適化部２３により重負荷月として決定される（ステップＳ２０１）。
【００５２】
続いて、個別情報入力部２４により入力された個別情報が参酌され、電力需要が一時的に減少すると予想される土日及び祝日が最適化部２３により除外曜日として決定され（ステップＳ２０２）、同様にして、電力需要が一時的に減少すると予想される盆期間が除外日として決定される（ステップＳ２０３）。さらに、除外日のうち電力需要が増加することが明らかである日が追加日として決定される（ステップＳ２０４）。
【００５３】
続いて、上記のステップＳ２０１において決定された重負荷月、上記のステップＳ２０２において決定された除外曜日、上記のステップＳ２０３において決定された除外日、及び、上記のステップＳ２０４において決定された追加日に基づいて、蓄電池１３２の充放電深度を深くして蓄電池１３２の高出力化を図るべき日が最適化部２３により重負荷日として決定される（ステップＳ２０５）。
【００５４】
続いて、上記のステップＳ２０５において決定された重負荷日における蓄電池１３２の充放電深度が最適化部２３により第１の充放電深度として決定され（ステップＳ２０６）、同様に、上記の重負荷日以外の日における蓄電池１３２の充放電深度が最適化部２３により第２の充放電深度として決定される（ステップＳ２０７）。最後に、上記の第１の充放電深度及び第２の充放電深度が最適化部２３により格納部２５に格納される（ステップＳ２０８）。
【００５５】
以上説明したように、本発明の実施の形態によれば、電力需要の少ない期間では浅い充放電深度で充放電して蓄電池の延命化を図ると共に、電力需要が多い期間に合わせて充放電深度を深くして蓄電池の高出力化を図ることができる。そうすることにより、蓄電池の短寿命化を招くこと無く、電力負荷の平準化を実現することができる。
【図面の簡単な説明】
【００５６】
【図１】本発明の実施の形態に係る蓄電システムが設置された電力設備の概略構成を示すブロック図である。
【図２】本発明の実施の形態に係る充放電深度管理装置の概略構成を示すブロック図である。
【図３】本発明の実施の形態に係る充放電深度管理方法の処理手順を示すフローチャートである。
【図４】図３のステップＳ１０４における最適化の処理手順を示すフローチャートである。
【図５】需要予測曲線の一例を示す図である。
【図６】需要予測曲線の他の一例を示す図である。
【図７】一般的な二次電池における許容充放電回数と放電深度との関係を示す図である。
【符号の説明】
【００５７】
１０  電力設備
１１  受電設備
１２Ａ、１２Ｂ、１２Ｃ  負荷
１３  蓄電システム
２１  需要予測曲線入力部
２２  解析部
２３  最適化部
２４  個別情報入力部
２５  格納部
２６  設定部
１３１  ＡＣ／ＤＣ変換器
１３２  蓄電池
１３３  充放電制御装置
１３４  充放電深度管理装置
【図１】
2009194947.tif 000003
【図２】
2009194947.tif 000004
【図３】
2009194947.tif 000005
【図４】
2009194947.tif 000006
【図５】
2009194947.tif 000007
【図６】
2009194947.tif 000008
【図７】
2009194947.tif 000009